(57)【要約】      （修正有）【課題】結露防止のためのヒータの消費電力を低減することができる、省エネルギ性の高い冷蔵庫を提供する。【解決手段】冷蔵庫は、冷蔵室を開閉する観音開き式扉と、観音開き式扉のいずれか一方の扉の端部に設けられた回転仕切体３５とを備える。観音開き式扉の一方の扉である第二扉７２は、回転仕切体３５が設けられた側の側面３２１に、結露防止用ヒータ５９を備える。【選択図】図５
2022003294.tif 000002
【特許請求の範囲】
【請求項１】
冷蔵室と、
第一扉および第二扉で構成された観音開き式の扉と、
前記第一扉に設けられた回転仕切体と、
前記第二扉の側面のうち、前記観音開き式の扉が閉まっている状態において前記第一扉と前記第二扉とが対向する側面に設けられたヒータとを備え、
前記ヒータは、前記側面のうち前記冷蔵室側の略半分の領域に設けられていることを特徴とする冷蔵庫。
【請求項２】
前記第二扉の側面のうち、前記観音開き式の扉が閉まっている状態において前記第一扉と前記第二扉とが対向する側面は、前記回転仕切体の外郭、または、前記回転仕切体に設けられた断熱材より、熱伝導率が高い樹脂で形成されたことを特徴とする請求項１に記載の冷蔵庫。
【請求項３】
前記第一扉の側面のうち、前記観音開き式の扉が閉まっている状態において前記第一扉と前記第二扉とが対向する第２の側面に設けられた第２のヒータを更に備え、
前記第２のヒータは、前記第２の側面のうち前記冷蔵室側の略半分の領域に設けられていることを特徴とする請求項１または２に記載の冷蔵庫。
【請求項４】
冷蔵室と、
第一扉および第二扉で構成された観音開き式の扉と、
前記第一扉に設けられた回転仕切体と、
前記第一扉の側面のうち、前記観音開き式の扉が閉まっている状態において前記第一扉と前記第二扉とが対向する側面に設けられたヒータとを備え、
前記ヒータは、前記側面のうち前記冷蔵室側の略半分の領域に設けられていることを特徴とする冷蔵庫。
【請求項５】
前記第一扉の側面のうち、前記観音開き式の扉が閉まっている状態において前記第一扉と前記第二扉とが対向する側面は、前記回転仕切体の外郭、または、前記回転仕切体に設けられた断熱材より、熱伝導率が高い樹脂で形成されたことを特徴とする請求項３または４に記載の冷蔵庫。
【請求項６】
前記ヒータは、加温部分が分割された複数の部位を有し、前記複数の部位それぞれのワット密度が互いに異なることを特徴とする請求項１から５のいずれか一項に記載の冷蔵庫。
【請求項７】
前記ワット密度は、前記観音開き式の扉の下部の温度が最も高くなるように設定されたことを特徴とする請求項６に記載の冷蔵庫。
【請求項８】
前記第一扉は、前記第二扉よりも横幅が狭いことを特徴とする請求項１から７のいずれか一項に記載の冷蔵庫。
【発明の詳細な説明】
【技術分野】
【０００１】
本開示は、回転仕切体が設置された観音開き式の扉を有する冷蔵庫に関する。
【背景技術】
【０００２】
一般に、冷蔵庫は、扉によって開閉自在な冷蔵室、冷凍室および野菜室等の貯蔵室を備えている。それぞれの貯蔵室は、扉によって開閉自在となるよう構成されている。大型の冷蔵庫では、冷蔵室の扉は、観音開き式の扉で構成されている。観音開き式扉には、その左右いずれか一方の扉の開閉に連動して回動する、回転仕切体が設けられている。これにより、扉閉止時に生じる扉端面同士間の隙間が塞がれて気密が確保されている。また、回転仕切体の内面には、ヒータが貼付され、回転仕切体の表面に発生する結露を防止している（例えば、特許文献１参照）。
【０００３】
しかしながら、上記のような従来の冷蔵庫では、ヒータの熱の一部が、回転仕切体を介して、冷蔵室内に侵入する。このため、回転仕切体の表面に発生する結露を防止するためのヒータの消費電力が増大するという課題がある。
【先行技術文献】
【特許文献】
【０００４】
【特許文献１】特開２０１０−２４９４９１号公報
【発明の概要】
【０００５】
本開示は、上記のような従来の課題に鑑みてなされたもので、結露防止のためのヒータの消費電力を低減することができる、省エネルギ性の高い冷蔵庫を提供する。
【０００６】
具体的には、本開示の一例による冷蔵庫は、冷蔵室と、第一扉および第二扉で構成された観音開き式の扉と、第一扉に設けられた回転仕切体と、第二扉の側面のうち、観音開き式の扉が閉まっている状態において第一扉と第二扉とが対向する側面に設けられたヒータとを備え、ヒータは、側面のうち冷蔵室側の略半分の領域に設けられていることを特徴とする。また、本開示の一例による冷蔵庫は、冷蔵室と、第一扉および第二扉で構成された観音開き式の扉と、第一扉に設けられた回転仕切体と、第一扉の側面のうち、観音開き式の扉が閉まっている状態において第一扉と第二扉とが対向する側面に設けられたヒータとを備え、ヒータは、側面のうち冷蔵室側の略半分の領域に設けられていることを特徴とする。
【０００７】
このような構成により、効果的に回転仕切体に触れる空気を加温できる。これにより、回転仕切体が結露することを抑制できる。
【図面の簡単な説明】
【０００８】
【図１】図１は、本開示の実施の形態の一例による冷蔵庫の斜視図である。
【図２】図２は、本開示の実施の形態の一例による冷蔵庫の縦断面図である。
【図３】図３は、本開示の実施の形態の一例による冷蔵庫の観音開き式扉が開かれた状態の斜視図である。
【図４】図４は、本開示の実施の形態の一例による冷蔵庫の観音開き式扉の一つを示す斜視図である。
【図５】図５は、本開示の実施の形態の一例による冷蔵庫の観音開き式扉および回転仕切体の要部断面図である。
【図６】図６は、本開示の実施の形態の一例による冷蔵庫の加温部の構成を説明するための図である。
【図７Ａ】図７Ａは、本開示の実施の形態の一例による冷蔵庫の観音開き式扉に設けられた回転仕切体の外観斜視図である。
【図７Ｂ】図７Ｂは、本開示の実施の形態の一例による回転仕切体を背面側から見た図である。
【図８】図８は、本開示の実施の形態の一例による冷蔵庫の観音開き式扉に設けられた回転仕切体の図７Ｂの８−８線における断面を示す断面図である。
【図９】図９は、本開示の実施の形態の一例による冷蔵庫の観音開き式扉に設けられた回転仕切体を示す分解斜視図である。
【図１０】図１０は、本開示の実施の形態の一例による冷蔵庫の観音開き式扉に設けられた回転仕切体を示す他の分解斜視図である。
【図１１】図１１は、本開示の実施の形態の変形例１における観音開き式扉および回転仕切体の要部断面図である。
【図１２】図１２は、本開示の実施の形態の変形例２における観音開き式扉および回転仕切体の要部断面図である。
【発明を実施するための形態】
【０００９】
以下、本開示の実施の形態の例を、図面を参照しながら説明する。なお、以下の実施の形態によって本開示が限定されるものではない。
【００１０】
（実施の形態）
図１は、本開示の実施の形態における冷蔵庫の斜視図、図２は、本開示の実施の形態の一例による冷蔵庫の縦断面図、および、図３は、本開示の実施の形態の一例による冷蔵庫の観音開き式扉が開かれた状態の斜視図である。
【００１１】
（１．冷蔵庫の全体構成）
まず、図１〜図３を用いて、本開示の実施の形態の一例による冷蔵庫１００の全体構成を説明する。本開示の実施の形態の一例による冷蔵庫１００は、前方が開口した冷蔵庫本体１を備えている。冷蔵庫本体１は、金属製の外箱２と、硬質樹脂製の内箱３と、外箱２と内箱３の間に発泡充填された発泡断熱材４とを有する。内箱３の内部は、仕切板５，６等によって、複数の貯蔵室に仕切られている。また、冷蔵庫本体１の各貯蔵室は、冷蔵庫本体１と同様の断熱構成が採用された扉を備える。各扉は、開閉自在となるよう構成されている。
【００１２】
冷蔵庫本体１内に形成された複数の貯蔵室は、最上部の冷蔵室１４と、冷蔵室１４の下に設けられた温度帯切り替え可能な切替室１５およびその横に設けられた製氷室１６と、切替室１５および製氷室１６の下に設けられた冷凍室１８と、最下部に設けられた野菜室１７とで構成されている。
【００１３】
冷蔵室１４は、観音開き式扉７を備えている。切替室１５、製氷室１６、野菜室１７、および冷凍室１８は、引出し式の扉８８，９，１０，１１をそれぞれ備えている。
【００１４】
また、冷蔵庫本体１は、冷凍室１８の背面に、冷却室１９を備えている。冷却室１９には、冷気を生成する冷却器２０と、冷気を各貯蔵室に供給する冷却ファン２１とが設置されている。また、冷却器２０の下方には、ガラス管ヒータ等で構成された除霜部２２が設けられている。
【００１５】
冷却器２０は、圧縮機２３と、コンデンサ（図示せず）と、放熱用の放熱パイプ（図示せず）と、キャピラリーチューブ（図示せず）とが環状に接続されて冷凍サイクルを構成している。圧縮機２３によって圧縮された冷媒が、冷凍サイクル内で循環されることで、冷却器２０は、冷却室１９内の冷却を行う。
【００１６】
また、冷却ファン２１は、冷却器２０の上方に設けられている。冷却ファン２１は、その下流側に連なる冷蔵室ダクト２４、冷凍室ダクト２５、および野菜室ダクト（図示せず）を介して、冷蔵室１４、冷凍室１８および野菜室１７のそれぞれに、冷却室１９内の冷気を供給する。この冷気によって、各貯蔵室は冷却される。
【００１７】
冷蔵室１４には、図２および図３に示すように、複数の棚板２７が着脱自在に設けられている。複数の棚板２７により、冷蔵室１４内の空間が、上下複数の空間に仕切られている。また、冷蔵室１４には、図２に示すように、下部に、低温貯蔵室、例えばパーシャルフリーザ室２８およびチルド室２９が設けられている。
【００１８】
なお、冷蔵室１４は、例えば、凍らない程度の１℃〜５℃に冷却される。冷蔵室１４内のパーシャルフリーザ室２８は、例えば、微凍結保存に適した−２℃〜−３℃に冷却される。冷蔵室１４内のチルド室２９は、例えば、冷蔵室１４よりも低く、パーシャルフリーザ室２８よりは若干高めの１℃前後の温度に冷却される。
【００１９】
（２．観音開き式扉の構成）
次に、観音開き式扉７の構成について説明する。
【００２０】
図４は、本開示の実施の形態の一例による冷蔵庫の観音開き式扉の一つを示す斜視図であり、図５は、本開示の実施の形態の一例による冷蔵庫の観音開き式扉および回転仕切体の要部断面図である。
【００２１】
冷蔵室１４（図３参照）の観音開き式扉７は、第一扉７１と第二扉７２とからなる。第一扉７１および第二扉７２は、それぞれ冷蔵庫本体１に扉ヒンジ１３で回動自在に軸支されている。
【００２２】
図４では、観音開き式扉７の例として、第一扉７１を示している。第一扉７１は、樹脂製の扉内枠３１と、樹脂製の扉外周枠３２と、扉表面を構成するガラス板等の外装板３３（図５参照）とで囲われた空間部分に、硬質発泡ウレタン等の扉用発泡断熱材３４が充填されて構成されている。
【００２３】
観音開き式扉７の一方の扉、本実施の形態では、幅の狭い第一扉７１の遊端側に、扉閉止時に生じる第一扉７１および第二扉７２のそれぞれの側面３２１同士間の隙間を閉塞する、短冊状の細長い回転仕切体３５が設けられている。観音開き式扉７のもう一方の幅広い第二扉７２には、例えば、図１に示すように、その下部に、冷蔵庫１００の運転状態等を表示する表示部３６が設けられている。
【００２４】
第一扉７１および第二扉７２それぞれは、扉内枠３１の周囲に、ガスケット７１ａ，７２ａを備えている。ガスケット７１ａ，７２ａは、観音開き式扉７と、冷蔵庫本体１または回転仕切体３５との間に生じる隙間を塞ぐための樹脂製の部材である。ガスケット７１ａ，７２ａのうち、回転仕切体３５に対向する部分の少なくとも一部には、磁石が配置されている。また、回転仕切体３５は、第一扉７１および第二扉７２それぞれに対向する部分の少なくとも一部に、磁石を備えている。ガスケット７１ａ，７２ａが備える磁石と、回転仕切体３５が備える磁石とが、磁気的に引き合うことで、ガスケット７１ａ，７２ａと回転仕切体３５とは密着し、冷蔵庫本体１または回転仕切体３５との間に生じる隙間を塞ぐ。
【００２５】
回転仕切体３５を備えていない方の第二扉７２は、図５に示すように、結露防止用ヒータ５９を備えている。結露防止用ヒータ５９は、扉閉止時に生じる、第一扉７１および第二扉７２それぞれの側面３２１と、回転仕切体３５とで区画される空間Ｓの、空気の温度を上昇させるための加温部である。結露防止用ヒータ５９は、第二扉７２の、回転仕切体３５が設けられた側の端部に設けられている。より具体的には、第二扉７２の、扉外周枠３２のうち、扉閉止時に観音開き式扉７の第一扉７１および第二扉７２が対向する側の側面３２１に設けられている。結露防止用ヒータ５９は、第二扉７２の、扉外周枠３２の側面３２１の内面（扉用発泡断熱材３４を充填する空間側）に、熱伝導性を有するテープ６１により、貼り付けられ固定されている。テープ６１は、扉外周枠３２の側面３２１の内面のうち、貯蔵室（冷蔵室１４）側のほぼ半分の領域を覆っている。なお、テープ６１は、側面３２１の内面の長手方向のほぼ全長に亘って覆っている。テープ６１は、例えば、アルミテープである。
【００２６】
扉外周枠３２のうち、少なくとも、側面３２１の熱伝導率は、回転仕切体３５の外郭（後述する、貯蔵室側外郭部材４７、または、外気側外郭部材４８）、または、断熱材（後述する、成形断熱部材４９、または、回転仕切体用発泡断熱材５０）の熱伝導率より高い。
【００２７】
次に、結露防止用ヒータ５９について説明する。
【００２８】
図６は、本開示の実施の形態による冷蔵庫の加温部の構成を説明するための図である。図６において、結露防止用ヒータ５９は、加温部分（ヒータ）５９１と、加温部分（ヒータ）５９１に電気を供給するリード線（電線）５９２と、加温部分５９１とリード線５９２とを電気的に接続する切替え部位５９３ａ，５９３ｂとを備えている。
【００２９】
切替え部位５９３ａ，５９３ｂは、観音開き式扉７の長手方向の中心付近に配置される。加温部分５９１は、観音開き式扉７の長手方向（図６の矢印で示す方向）に沿って切替え部位５９３ａの上方に伸び、観音開き式扉７の上端付近で折り返される。加温部分５９１は、さらに、観音開き式扉７の下端に向かって観音開き式扉７の長手方向の略全長に亘って配置され、観音開き式扉７の下端付近で折り返され、観音開き式扉７の長手方向に沿って再び上方に伸び、切替え部位５９３ｂに接続される。リード線５９２は、切替え部位５９３ａ，５９３ｂのそれぞれから１本ずつ、観音開き式扉７の長手方向に沿って切替え部位５９３ａの上方に伸びるように配置される。
【００３０】
より詳細には、加温部分５９１は、図６に示すように、切替え部位５９３ａのリード線５９２側に配置されるワット密度Ｗ１で長さＬ１の部位ｄと、部位ｄに連接され上方向に伸びるワット密度Ｗ２で長さＬ２の逆Ｕ字状の部位ｅとを有する。加温部分５９１は、さらに、部位ｅに連接され部位ｄと平行に下方向に伸びるワット密度Ｗ３で長さＬ３の部位ｆと、部位ｆに連接され切替え部位５９３ａ，５９３ｂに併設されるワット密度Ｗ４で長さＬ４の部位ｇとを有する。加温部分５９１は、さらに、部位ｇに連接され下方向に伸びるワット密度Ｗ５で長さＬ５の部位ｈと、部位ｈに連接され最下部に位置するワット密度Ｗ６で長さＬ６のＵ字状の部位ｉとを有する。加温部分５９１は、さらに、部位ｉから連接され上方向に伸び切替え部位５９３ｂに接続されるワット密度Ｗ７と長さＬ７の部位ｊを有する。
【００３１】
加温部分５９１の部位ｉは、パーシャルフリーザ室２８またはチルド室２９の天面より下方に位置している。観音開き式扉７の長手方向において、加温部分（ヒータ）５９１の各部位のワット密度は、観音開き式扉７の下部が最も高くなるように設定されている。具体的には、少なくとも、ワット密度Ｗ６は、ワット密度Ｗ１〜Ｗ５およびワット密度Ｗ７より大きくなるよう設定されている。
【００３２】
結露防止用ヒータ５９が通電されると、加温部分５９１の部位ｄから部位ｊがそれぞれ発熱し、観音開き式扉７の側面３２１が全長Ｌにおいて所望の温度に加温される。側面３２１の外表面が加温されることで、空間Ｓ付近の空気が加温される。このため、結露を発生させる冷たい空気が、回転仕切体３５に触れることがない。これによって、回転仕切体３５が結露することを抑制できる。
【００３３】
空間Ｓ付近の空気は、冷蔵室１４内の下方に内蔵された、冷蔵室温度より低い温度帯に設定されたパーシャル室およびチルド室の温度影響を受けて、観音開き式扉７の上下方向において、下部が上部より低い温度で冷却される。
【００３４】
しかし、本実施の形態では、第二扉７２の上下方向において、加温部分（ヒータ）５９１の各部位のワット密度は、観音開き式扉７の下部が最も高くなるように、設定されている（ワット密度Ｗ１〜Ｗ５およびワット密度Ｗ７＜ワット密度Ｗ６）。このような構成により、側面３２１の外表面は、略均一な温度となる。このため、空間Ｓ付近の空気も、上下方向において、略均一な温度となり、空間Ｓ付近の空気を効率的に加温できる。これによって、結露防止用ヒータ５９の消費電力を低減しながら、確実に回転仕切体３５の結露を抑制できる。
【００３５】
（３．回転仕切体の構成）
次に、観音開き式扉７に設けられた回転仕切体３５について説明する。図７Ａは、本開示の実施の形態の一例による冷蔵庫の観音開き式扉に設けられた回転仕切体の外観斜視図であり、図７Ｂは、本開示の実施の形態の一例による回転仕切体の背面側から見た図である。図８は、本開示の実施の形態の一例による冷蔵庫の図７Ｂの８−８線における断面を示す断面図、図９は、本開示の実施の形態の一例による冷蔵庫の観音開き式扉に設けられた回転仕切体を示す分解斜視図、および、図１０は、本開示の実施の形態の一例による冷蔵庫の観音開き式扉に設けられた回転仕切体を示す他の分解斜視図である。
【００３６】
回転仕切体３５は、上述したように、観音開き式扉７の第一扉７１に設けられている。具体的には、回転仕切体３５の上下部分が、ヒンジ部材４６によって、第一扉７１の扉内枠３１の内面に軸支されている（図５参照）。回転仕切体３５は、第一扉７１の開閉に連動して回転動作する。
【００３７】
回転仕切体３５は、図９等に示すように、外郭として主に、樹脂で形成された、貯蔵室側外郭部材４７および外気側外郭部材４８を備えている。回転仕切体３５は、貯蔵室側外郭部材４７の開口部分と、外気側外郭部材４８の開口部分とを嵌合させて、中空状に構成されている。また、回転仕切体３５は、その中空状部の上端部分に、発泡スチロールからなる成形断熱部材４９（図９および図１０参照）が組み込まれるとともに、中空状部の残りの大部分には、発泡ウレタン等の回転仕切体用発泡断熱材５０が充填されて構成されている。回転仕切体用発泡断熱材５０は、回転仕切体３５の外郭を構成する貯蔵室側外郭部材４７と外気側外郭部材４８との間に設けられた介在部材である軟質袋部材６４を介して充填されている。
【００３８】
貯蔵室側外郭部材４７および外気側外郭部材４８は、何れも熱伝導性の低い樹脂で形成されている。貯蔵室側外郭部材４７には、図７Ｂ〜図１０に示すように、その長手方向の略中央部に、発泡ウレタンを注入する注入孔５２が形成され、長手方向端部付近に、空気抜き孔５３が形成されている。貯蔵室側外郭部材４７の内面には、金属製の回転仕切体補強板５５が設けられている。
【００３９】
回転仕切体補強板５５は、その長手方向全域に亘って、複数の孔５７が分散して配置されている。回転仕切体補強板５５は、貯蔵室側外郭部材４７に設けられた注入孔５２に対向する部分には、孔６６を備えている。また、空気抜き孔５３に対向して孔５７を有している。
【００４０】
図１０に示すように、貯蔵室側外郭部材４７の注入孔５２と回転仕切体補強板５５の孔６６との間には、リング状のシールフォーム６９が設けられ、空気抜き孔５３と孔５７との間には、矩形状のシールフォーム７０が設けられている。
【００４１】
図９および図１０に示すように、回転仕切体３５の外郭を構成する貯蔵室側外郭部材４７と外気側外郭部材４８との空間に介在する軟質袋部材６４には、貯蔵室側外郭部材４７の注入孔５２および回転仕切体補強板５５の孔６６に対向して、開口孔６５が設けられている。
【００４２】
回転仕切体補強板５５の孔６６と軟質袋部材６４の開口孔６５の間に、図１０に示すように、両面接着剤６７を介して、軟質袋部材６４が、回転仕切体補強板５５に固定される。また、軟質袋部材６４の端部近傍も、両面接着剤６８を介して回転仕切体補強板５５に固定される。
【００４３】
両面接着剤６７の中央部は、図１０に示すように、空隙を有する。このような構成により、注入孔５２から回転仕切体用発泡断熱材５０が充填される際に、確実に軟質袋部材６４内に回転仕切体用発泡断熱材５０が充填される（図８参照）。
【００４４】
なお、軟質袋部材６４の端部には、空気抜き用の開口孔を備えている。これにより、シールフォーム７０を介して、貯蔵室側外郭部材４７の空気抜き孔５３から、回転仕切体用発泡断熱材５０の充填発泡時の不要な空気が、外部に排出される（図１０参照）。
【００４５】
回転仕切体３５の上端部は、キャップ６２（図９参照）で覆われている。回転仕切体３５の下端部は、貯蔵室側外郭部材４７の開口下辺と、外気側外郭部材４８の開口下辺との嵌合によって閉塞されている。
【００４６】
緩衝シート５４は、少なくとも、注入孔５２と空気抜き孔５３とを覆うように、貯蔵室側外郭部材４７に貼り付けられている。緩衝シート５４は、回転仕切体３５の内部に回転仕切体用発泡断熱材５０が充填発泡された後、貯蔵室側外郭部材４７の貯蔵室側面に、注入孔５２および空気抜き孔５３を閉塞するように貼り付けられる。
【００４７】
なお、本実施の形態では、回転仕切体３５には、加温部は設けられていない。
【００４８】
以上のように構成された冷蔵庫１００について、次にその作用効果について説明する。
【００４９】
冷凍サイクルを構成する圧縮機２３で圧縮された冷媒は、コンデンサで放熱し、キャピラリーチューブで減圧され、冷却器２０で吸熱し、再び、圧縮機２３に戻ってくる。冷却器２０で生成された冷気は、冷却ファン２１からダクトを介して冷蔵庫本体１内の冷蔵室１４、切替室１５、製氷室１６、野菜室１７および冷凍室１８に供給され、各貯蔵室を所定の温度に冷却する。
【００５０】
本実施の形態の冷蔵庫１００は、観音開き式扉７の第二扉７２に、第二扉７２の側面を加温する結露防止用ヒータ５９を備えている。このような構成により、扉閉止時に生じる第一扉７１および第二扉７２のそれぞれの扉端面同士間の隙間の空気が加温される。よって、このような構成により、回転仕切体３５に冷たい空気が触れることがなくなり、回転仕切体３５が結露することを抑制できる。
【００５１】
図５に示すように、回転仕切体３５を備えない側の第二扉７２と、回転仕切体３５との隙間は、回転仕切体３５を備える側の第一扉７１と、回転仕切体３５との隙間より大きい。このような構成により、第二扉７２の側面３２１は、第一扉７１の側面３２１より、低い温度となりやすい。このような構成により、本実施の形態では、低い温度となりやすい第二扉７２に結露防止用ヒータ５９を備えていることで、効果的に、回転仕切体３５に触れる冷たい空気を加温できる。
【００５２】
また、第二扉７２は、その側面の領域のうち、例えば庫内側の略半分の領域を加温する結露防止用ヒータ５９を備えている。このような構成により、第一扉７１および第二扉７２のそれぞれの側面３２１と、回転仕切体３５とで区画される空間Ｓのうち、回転仕切体３５に近い領域の空気を効果的に加温できる。
【００５３】
また、回転仕切体３５自体には、結露防止用ヒータが設けられていない。このような構成により、結露防止用ヒータの熱の一部が、回転仕切体３５を介して、冷蔵室１４内に侵入し、冷蔵室１４内の温度を上昇させることも抑制できる。
【００５４】
また、第二扉７２と回転仕切体３５との間には、熱伝導率の低いガスケットが設けられている。このような構成により、第二扉７２に設けられた結露防止用ヒータ５９の熱の一部が、回転仕切体３５に伝わることを抑制できる。
【００５５】
また、加温部分５９１は、複数の部位に分割されている。また、加温部分５９１は、複数の部位それぞれのワット密度を異ならせている。このような構成により、冷蔵室１４内の温度分布に応じて、効率的に観音開き式扉７の第一扉７１および第二扉７２の端面同士間の隙間の空気を加温できる。これによって、結露防止用ヒータ５９の消費電力を低減できる。
【００５６】
なお、本実施の形態では、観音開き式扉７の長手方向のほぼ全長に亘って、結露防止用ヒータ５９が設けられている。また、本実施の形態では、加温部分（ヒータ）５９１の各部位のワット密度は、観音開き式扉７の下部の温度が最も高くなるように、設定されている。しかし、本実施の形態の冷蔵庫１００は、このような構成に限られず、例えば、観音開き式扉７の長手方向の下方のほぼ半分の領域に、結露防止用ヒータ５９が設けられていてもよい。このような構成により、加温部分（ヒータ）５９１の各ワット密度を細かく設定することなく、観音開き式扉７の下部の加熱量を大きくすることができる。このような構成により、結露防止用ヒータ５９に、廉価なヒータを使用することが可能となる。扉外周枠３２のうち、少なくとも、側面３２１の熱伝導率は、回転仕切体３５の外郭（貯蔵室側外郭部材４７、または、外気側外郭部材４８）、もしくは、断熱材（成形断熱部材４９、または、回転仕切体用発泡断熱材５０）の熱伝導率より高い。このような構成により、結露防止用ヒータ５９の熱を、側面３２１に効率よく伝導させることができる。よって、このような構成により、効果的に回転仕切体３５に触れる空気を加温できる。
【００５７】
また、回転仕切体３５の外郭（貯蔵室側外郭部材４７、または、外気側外郭部材４８）、もしくは、断熱材（成形断熱部材４９、または、回転仕切体用発泡断熱材５０）の熱伝導率は、扉外周枠３２の熱伝導率より低い。このような構成により、第二扉７２に設けられた結露防止用ヒータ５９の熱の一部が、回転仕切体３５を介して冷蔵室１４に伝わることを抑制できる。
【００５８】
また、回転仕切体３５は、貯蔵室側外郭部材４７と外気側外郭部材４８との間に、介在部材である軟質袋部材６４を介して、回転仕切体用発泡断熱材５０が充填されて構成されている。このような構成により、回転仕切体３５の断熱材に発泡スチロールが用いられているものに比べて、その断熱性は格段に高いものとなる。よって、回転仕切体３５を介して冷蔵室１４内に侵入しようとする外気熱を効果的に抑制することができる。
【００５９】
なお、本実施の形態では、回転仕切体３５は、その外郭の内部に軟質袋部材６４を介して回転仕切体用発泡断熱材５０が充填される形態を例に説明したが、この形態に限られず、外郭の内部に軟質袋部材６４を介して発泡スチロールが設けられた回転仕切体としてもよい。
【００６０】
また、回転仕切体３５においては、上下に細長く回転仕切体用発泡断熱材５０が充填された際、従来の構成では、その発泡圧によって貯蔵室側外郭部材４７と外気側外郭部材４８とが嵌合している部分から回転仕切体用発泡断熱材５０が漏出しやすい。しかし、本実施の形態では、回転仕切体３５は、貯蔵室側外郭部材４７と外気側外郭部材４８との間に、介在部材である軟質袋部材６４を介して、回転仕切体用発泡断熱材５０が充填されて構成されている。このような構成により、貯蔵室側外郭部材４７と外気側外郭部材４８とが嵌合している部分からの回転仕切体用発泡断熱材５０の漏れを確実に抑制することができる。よって、このような構成により、断熱性が高められた回転仕切体３５を得ることができる。
【００６１】
さらに、貯蔵室側外郭部材４７と外気側外郭部材４８との間に配置された、介在部材である軟質袋部材６４により、回転仕切体用発泡断熱材５０と、回転仕切体３５を構成する貯蔵室側外郭部材４７および外気側外郭部材４８それぞれとの接着強度が緩和され、回転仕切体３５の冷熱温度差によるソリおよび変形を抑制することができる。
【００６２】
また、貯蔵室側外郭部材４７の注入孔５２と、回転仕切体補強板５５の孔６６との間には、リング状のシールフォーム６９が配置されている。また、空気抜き孔５３と孔５７との間には、矩形状のシールフォーム７０が配置されている。また、貯蔵室側外郭部材４７と回転仕切体補強板５５とは、爪５６によって固定されている。このような構成により、軟質袋部材６４を介して、より確実に回転仕切体３５内部へ回転仕切体用発泡断熱材５０の充填性を高めることができる。
【００６３】
また、回転仕切体３５の外郭を構成する、貯蔵室側外郭部材４７および外気側外郭部材４８の間の空間に介在する軟質袋部材６４には、貯蔵室側外郭部材４７の注入孔５２と回転仕切体補強板５５の孔６６とに対向して、開口孔６５が設けられている。回転仕切体補強板５５の孔６６と軟質袋部材６４の開口孔６５との間には、両面接着剤６７を介して、軟質袋部材６４が、回転仕切体補強板５５に固定される。このような構成により、軟質袋部材６４を介して、より確実に回転仕切体３５内部への回転仕切体用発泡断熱材５０の充填性を高めることができる。
【００６４】
また、回転仕切体３５は、その上下部分が、ヒンジ部材４６で第一扉７１に枢結されるとともに、ヒンジ部材４６の設置部分には、発泡スチロールからなる成形断熱部材４９が設けられている。すなわち、複雑な構造となるヒンジ部材４６の軸支部４６ａなどの近傍は、成形断熱部材４９で構成されている。このような構成により、貯蔵室側外郭部材４７と外気側外郭部材４８との空間を、簡素な構造にできる。また、このような構成により。軟質袋部材６４を簡素な矩形形状とすることができる。よって、このような構成により、ヒンジ部材４６近傍の回転仕切体用発泡断熱材５０の漏れ、および、充填不足を解消することができる。これにより、回転仕切体３５の回転動作を安定したものとすることができる。
【００６５】
また、回転仕切体３５は、貯蔵室側外郭部材４７の内面に、金属製の回転仕切体補強板５５が設けられて構成されている。このような構成により、回転仕切体用発泡断熱材５０の熱収縮によって生じる変形を防止でき、扉閉止時における密閉性をより高いものとして省エネルギ性を更に向上させることができる。
【００６６】
また、回転仕切体３５内の回転仕切体用発泡断熱材５０は、軟質袋部材６４を介して、回転仕切体補強板５５に接している。このような構成により、回転仕切体用発泡断熱材５０と回転仕切体補強板５５とは、間接的な接触となり、回転仕切体用発泡断熱材５０の熱収縮によって生じる、回転仕切体補強板５５の直接的な変形を抑制できる。
【００６７】
また、回転仕切体補強板５５は、貯蔵室側外郭部材４７に設けられた回転仕切体用発泡断熱材５０の注入孔５２および空気抜き孔５３に対向する孔を含めて、その長手方向に複数の孔５７が形成されている。このような構成により、貯蔵室側外郭部材４７に設けられた注入孔５２から、軟質袋部材６４内に充填される回転仕切体用発泡断熱材５０の注入を可能としつつ、回転仕切体補強板５５の軽量化を図ることができる。よって、このような構成により、回転仕切体３５自体も軽量化でき、回転仕切体３５の回転動作が安定するとともに、回転時に生じる回転仕切体３５の慣性力が軽減するので、衝突音等もより少ないものになる。
【００６８】
また、回転仕切体３５は、方形状を有する。このような構成により、その左右全域に亘って、良好な断熱効果を発揮するようになり、断熱効果を高めることができる。
【００６９】
なお、本実施の形態では、回転仕切体３５の外郭を構成する、貯蔵室側外郭部材４７および外気側外郭部材４８の間に介在する介在部材は、軟質袋部材６４で構成される形態を例として説明したが、介在部材は、これに限定されるものではなく、例えば、ブロー成形部材、離型材塗布、および離型テープ等の貼付でも可能である。
【００７０】
また、本実施の形態では、貯蔵室側外郭部材４７および外気側外郭部材４８が、熱伝導性の低い樹脂で形成され、回転仕切体３５の内部にマグネットが埋設された形態を例として説明したが、これに限定されることなく、回転仕切体３５の内部に、マグネット５８に代えて着磁性のある金属板が設けられていてもよい。また、外気側外郭部材４８は、金属板で構成されてもよい。
【００７１】
この場合、回転仕切体３５内部のマグネット配置空間部分を、軟質袋部材６４を介して回転仕切体用発泡断熱材５０で充填することができ、断熱性の向上と回転仕切体３５の強度を高めることができる。この場合、貯蔵室側外郭部材に鉄板を用いることで貯蔵室側外郭部材４７に設けられた回転仕切体補強板５５も不要、あるいは薄肉化することができ、断熱性と強度とコストの最適バランスを図ることができる。
【００７２】
また、本実施の形態では、回転仕切体３５の上端部のヒンジ部材近傍に、発泡スチロールからなる成形断熱部材４９が設けられた形態を例として説明したが、これに限定されるものではなく、回転仕切体３５の上下端部のヒンジ部材近傍も含めて、回転仕切体３５内部のほぼ全域に、軟質袋部材６４を介して、回転仕切体用発泡断熱材５０が充填されていてもよい。
【００７３】
この場合、発泡ウレタンの充填率向上による断熱性能向上、強度向上、および、発泡スチロールからなる成形断熱部材４９の不要によるコストダウン等の効果を得ることができる。
【００７４】
＜変形例１＞
図１１は、本開示の実施の形態の変形例１における冷蔵庫の観音開き式扉および回転仕切体の要部断面図である。
【００７５】
回転仕切体３５を備えていない方の第二扉７２は、扉外周枠３２（図４参照）のうち、扉閉止時に観音開き式扉７が対向する側の側面３２１に、結露防止用ヒータ５９を備えている。結露防止用ヒータ５９を固定するテープ６１は、扉外周枠３２の側面３２１の内面のほぼ全域を覆っている。
【００７６】
このような構成により、結露防止用ヒータ５９により加温される面積を大きくできるので、より効果的に回転仕切体３５付近の空気を加温できる。また、テープ６１は、扉外周枠３２の側面３２１の内面のほぼ全域を覆っているので、結露防止用ヒータ５９の貼り付け面積が増大し、結露防止用ヒータ５９を貼り付ける作業効率を向上させることができる。
【００７７】
＜変形例２＞
図１２は、本開示の実施の形態の変形例２における冷蔵庫の観音開き式扉および回転仕切体の要部断面図である。
【００７８】
観音開き式扉７の第一扉７１および第二扉７２それぞれは、扉外周枠３２（図４参照）のうち、扉閉止時に観音開き式扉７が対向する側の側面３２１に、結露防止用ヒータ５９を備えている。結露防止用ヒータ５９を固定するテープ６１は、第一扉７１および第二扉７２それぞれの扉外周枠３２の側面３２１の内面の領域のうち、貯蔵室側のほぼ半分の領域を覆っている。
【００７９】
このような構成により、結露防止用ヒータ５９により加温される面積を大きくするとともに、空間Ｓのうち回転仕切体３５に近い領域の空気を加温することで、より効果的に回転仕切体３５付近の空気を加温できる。また、第一扉７１および第二扉７２それぞれに、結露防止用ヒータ５９を分けて設けることで、第一扉７１および第二扉７２それぞれに適したワット密度のヒータを取り付けることができる。例えば、第一扉７１および第二扉７２のいずれか一方に結露防止用ヒータ５９を設ける場合と比較して、結露防止用ヒータ５９のワット密度を細かく設定する必要がない。よって、このような構成により、結露防止用ヒータ５９に、廉価なヒータを使用することが可能となる。
【産業上の利用可能性】
【００８０】
本開示は、回転仕切体の結露を防止のための加温部への入力を抑制できるので、回転仕切体を備えた家庭用および業務用など様々な種類および大きさの冷蔵庫等に適用することができる。
【符号の説明】
【００８１】
１  冷蔵庫本体
２  外箱
３  内箱
４  発泡断熱材
５，６  仕切板
７  観音開き式扉
８８，９，１０，１１  扉
１３  扉ヒンジ
１４  冷蔵室
１５  切替室
１６  製氷室
１７  野菜室
１８  冷凍室
１９  冷却室
２０  冷却器
２１  冷却ファン
２２  除霜部
２３  圧縮機
２４  冷蔵室ダクト
２５  冷凍室ダクト
２７  棚板
２８  パーシャルフリーザ室
２９  チルド室
３１  扉内枠
３２  扉外周枠
３２１  側面
３３  外装板
３４  扉用発泡断熱材
３５  回転仕切体
３６  表示部
４６  ヒンジ部材
４６ａ  軸支部
４７  貯蔵室側外郭部材
４８  外気側外郭部材
４９  成形断熱部材
５０  回転仕切体用発泡断熱材
５２  注入孔
５３  空気抜き孔
５４  緩衝シート
５５  回転仕切体補強板
５７，６６  孔
５９  結露防止用ヒータ
５９１  加温部分（ヒータ）
５９２  リード線（電線）
５９３ａ，５９３ｂ  切替え部位
６２  キャップ
６４  軟質袋部材（介在部材）
６５  開口孔
６７，６８  両面接着剤
６９，７０  シールフォーム
７１  第一扉
７２  第二扉
７１ａ，７２ａ  ガスケット
１００  冷蔵庫
【図１】
2022003294.tif 000003
【図２】
2022003294.tif 000004
【図３】
2022003294.tif 000005
【図４】
2022003294.tif 000006
【図５】
2022003294.tif 000007
【図６】
2022003294.tif 000008
【図７Ａ】
2022003294.tif 000009
【図７Ｂ】
2022003294.tif 000010
【図８】
2022003294.tif 000011
【図９】
2022003294.tif 000012
【図１０】
2022003294.tif 000013
【図１１】
2022003294.tif 000014
【図１２】
2022003294.tif 000015
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
冷蔵室と、
第一扉および第二扉で構成された観音開き式の扉と、
前記第一扉に設けられた回転仕切体と、
前記第二扉の側面のうち、前記観音開き式の扉が閉まっている状態において前記第一扉と前記第二扉とが対向する側面に設けられたヒータとを備え、
前記ヒータは、加温部分が分割された複数の部位を有し、前記複数の部位それぞれのワット密度が互いに異なることを特徴とする冷蔵庫。
【請求項２】
前記第二扉の側面のうち、前記観音開き式の扉が閉まっている状態において前記第一扉と前記第二扉とが対向する側面は、前記回転仕切体の外郭、または、前記回転仕切体に設けられた断熱材より、熱伝導率が高い樹脂で形成されたことを特徴とする請求項１に記載の冷蔵庫。
【請求項３】
前記第一扉の側面のうち、前記観音開き式の扉が閉まっている状態において前記第一扉と前記第二扉とが対向する第２の側面に設けられた第２のヒータを更に備え、
前記第２のヒータは、加温部分が分割された複数の部位を有し、前記複数の部位それぞれのワット密度が互いに異なることを特徴とする請求項１または２に記載の冷蔵庫。
【請求項４】
前記第２のヒータは、前記第２の側面のうち前記冷蔵室側の略半分の領域に設けられていることを特徴とする請求項３に記載の冷蔵庫。
【請求項５】
冷蔵室と、
第一扉および第二扉で構成された観音開き式の扉と、
前記第一扉に設けられた回転仕切体と、
前記第一扉の側面のうち、前記観音開き式の扉が閉まっている状態において前記第一扉と前記第二扉とが対向する側面に設けられたヒータとを備え、
前記ヒータは、加温部分が分割された複数の部位を有し、前記複数の部位それぞれのワット密度が互いに異なることを特徴とする冷蔵庫。
【請求項６】
前記第一扉の側面のうち、前記観音開き式の扉が閉まっている状態において前記第一扉と前記第二扉とが対向する側面は、前記回転仕切体の外郭、または、前記回転仕切体に設けられた断熱材より、熱伝導率が高い樹脂で形成されたことを特徴とする請求項３から５のいずれか一項に記載の冷蔵庫。
【請求項７】
前記冷蔵室の下方には、前記冷蔵室よりも温度帯が低い貯蔵室が設けられ、
前記ワット密度は、前記観音開き式の扉の下部の温度が最も高くなるように設定されたことを特徴とする請求項１から６のいずれか一項に記載の冷蔵庫。
【請求項８】
前記ヒータは、前記側面のうち前記冷蔵室側の略半分の領域に設けられていることを特徴とする請求項１から７のいずれか一項に記載の冷蔵庫。
【請求項９】
前記第一扉は、前記第二扉よりも横幅が狭いことを特徴とする請求項１から８のいずれか一項に記載の冷蔵庫。
【手続補正２】
【補正対象書類名】明細書
【補正対象項目名】０００６
【補正方法】変更
【補正の内容】
【０００６】
具体的には、本開示の一例による冷蔵庫は、冷蔵室と、第一扉および第二扉で構成された観音開き式の扉と、第一扉に設けられた回転仕切体と、第二扉の側面のうち、観音開き式の扉が閉まっている状態において第一扉と第二扉とが対向する側面に設けられたヒータとを備え、ヒータは、加温部分が分割された複数の部位を有し、複数の部位それぞれのワット密度が互いに異なることを特徴とする。また、本開示の一例による冷蔵庫は、冷蔵室と、第一扉および第二扉で構成された観音開き式の扉と、第一扉に設けられた回転仕切体と、第一扉の側面のうち、観音開き式の扉が閉まっている状態において第一扉と第二扉とが対向する側面に設けられたヒータとを備え、ヒータは、加温部分が分割された複数の部位を有し、前記複数の部位それぞれのワット密度が互いに異なることを特徴とする。